(57)【要約】      （修正有）【課題】橋桁上部からの締め付けによる固定が容易で、取り付け方法が簡単である、架設足場の支持腕取付け具を提供する。【解決手段】架設足場の支持腕取付け具は、基体１、昇降用フレーム２、レバー３及び操作用螺軸４より構成される。基体１は、足場板が挿入可能な環部１１と環部１１の一側で垂直上下位置にフレームホルダー１３を有する。昇降用フレーム２は下端水平部２１に挟持面を有し、基体１のフレームホルダー１３に緩挿して昇降可能である。レバー３は、基体１の上部フレームホルダー１３上で、基部１に昇降用フレーム２が緩挿され、先端部は基体１の冠着部１２の上面に先端が突合する操作用螺軸４に螺合して上下動する。操作用螺軸４の回転で先端部が上昇することで、基部１が上下方向に撓むように、緩挿する昇降用フレーム２を挟着固定する。操作用螺軸４と昇降用フレーム２の挟持面が対向して位置する。【選択図】図２
2014098278.tif 000002
【特許請求の範囲】
【請求項１】
基体、昇降用フレーム、レバー及び操作用螺軸より構成され、基体は、足場板を架設する支柱本体の支持腕に挿入可能な環部と支持腕の上面に被設する冠着部から成り、環部の一側で垂直上下位置にフレームホルダーを有すること、昇降用フレームは、下端水平部に挟持面を有し、基体のフレームホルダーに緩挿して昇降可能なこと、レバーは、基体の上部フレームホルダー上で、基部に昇降用フレームが緩挿すると共に上下動の範囲を制約されて装置され、先端部は基体の冠着部の上面に先端が突合する操作用螺軸に螺合して上下動し、操作用螺軸の回転で先端部が上昇することで、上下動の範囲を制約された基部が上下方向に撓むように、緩挿する昇降用フレームを挟着固定すること、操作用螺軸と昇降用フレームの挟持面が対向して位置すること、を特徴とする橋梁上の架設足場の支持腕取付け具。
【請求項２】
基体の正面又は背面に設けたフレームホルダーは、透孔が矩形であると共に水平方向の基体側に向かって角度をつけて設けられ、フレームホルダーの透孔に摺動する昇降用フレームの横断面、及び昇降用フレームに摺動するレバーの穿孔も矩形とし、レバーの他端部と昇降用フレームの挟持面が基体の冠着部において対向して位置するようにしたことを特徴とする請求項１記載の橋梁上の架設足場の支持腕取付け具。
【請求項３】
昇降用フレームの上端部に取手を形成したことを特徴とする請求項１又は２記載の橋梁上の架設足場の支持腕取付け具。
【請求項４】
レバーの基部は、上部フレームホルダーと上方に延設した係止片で上下動の範囲を制約されていることを特徴とする請求項１乃至３のいずれかに記載の橋梁上の架設足場の支持腕取付け具。  
【請求項５】
操作用螺軸の先端が突合する基体の冠着部の上面に受け部材を設けたことを特徴とする請求項１乃至４のいずれかに記載の橋梁上の架設足場の支持腕取付け具。
【請求項６】
操作用螺軸に回り止め手段を付設したことを特徴とする請求項１乃至５のいずれかに記載の橋梁上の架設足場の支持腕取付け具。
【発明の詳細な説明】
【技術分野】
【０００１】
本発明は、橋梁上の軌道作業を行なう時に付設される移動式簡易足場の支持腕を橋梁の橋桁に固定するための取付具に関するものである。
【背景技術】
【０００２】
従来の橋梁上の軌道作業を行なう時に付設される移動式簡易足場は、図９に示すように、足場板Ｆを架設可能な支柱本体Ｃに装着した金具Ｂで、橋梁の橋桁Ａに固定して支柱本体Ｃを支える構造である。
即ち、橋桁Ａに支柱本体Ｃの支持腕Ｄを載置すると共に、金具Ｂを橋桁Ａに挟み込んで、橋桁Ａの下方からジャッキボルトＥを操作して橋桁Ａの裏面（Ｈ型鋼の上部片裏側）に締め付ける構造となっている。
【０００３】
また、特開２００１−１７２９２０号公報では、作業足場は、橋体の側部に着脱自在に係止し、水平棒を受けるローラ支持体を備えた多数の係止金物と、係止金物の前記ローラ支持体に係合する水平ガイド棒を備え、橋体の側方外側に張出し吊下される多数のユニット作業台とで構成した移動可能な足場が開示されている。
【０００４】
実用新案登録第３０７５４７５号公報では、上端にフック状端部を有する縦方向支柱部、アーム部、縦方ブレース部、手摺り支柱とよりなる複数個のフック付き足場部材を、所定間隔毎に上端のフック状端部を橋の側縁に引っ掛けて吊り下げ、手摺り支柱間に手摺り部材を張り渡して固定したもので、橋の側縁固定する移動足場を開示している。
【０００５】
さらに、特開２００２−１２９５２２号公報では、作業者が搭乗するゴンドラは複数の吊柱が起立固設され、吊柱には高欄の外面を転動する水平荷重支承用ローラが設けられ、そして吊柱の上端には水平腕が着脱自在に取り付けられ、水平腕には高欄の上面を転動する垂直荷重支承用ローラが設けられ、さらに水平腕の先端には垂直腕が取り付けられ、垂直腕には高欄の内面を転動する水平荷重支承用ローラが設けられている構成が開示され、高欄の外面をローラが転動して移動する足場となっている。
【先行技術文献】
【特許文献】
【０００６】
【特許文献１】特開２００１−１７２９２０号公報
【特許文献２】実用新案登録第３０７５４７５号公報
【特許文献１】特開２００２−１２９５２２号公報
【発明の概要】
【発明が解決しようとする課題】
【０００７】
上記特許文献に挙げた各公報は側壁等の起立し部位を有する橋梁であり、多くの改良が為され安全性にも配慮されている。
しかし、本願発明が課題とする主に鉄道の橋梁を対象としたものとは橋梁の構造自体が異なるものである。
【０００８】
そして、鉄道の橋梁において、上記従来の取付具で、枕木を架設する橋梁の橋桁に取り付ける作業は、足元が不安定な高所作業であること、開口部へ体を乗り出さねばならない作業になること、橋梁上で体を屈める不安定な取り付け作業になること、橋桁の下部から固定するため締め付け面を目視しにくいこと、加えて力も入れづらいクランプ構造であること、橋梁上で体を屈める不安定な取り付け作業になること等、墜落事故のリスクの高いとの指摘がなされていた。
【０００９】
そこで、本発明は斯かる問題点に鑑み、橋桁上部からの締め付けによる固定が可能なこと、取り付け方法が簡単であること、締め付け易い構造とした橋梁上の架設足場の支持腕取付け具を提供せんとするものである。
【課題を解決するための手段】
【００１０】
本発明に係る請求項１の橋梁上の架設足場の支持腕取付け具は、基体、昇降用フレーム、レバー及び操作用螺軸より構成され、基体は、足場板を架設する支柱本体の支持腕に挿入可能な環部と支持腕の上面に被設する冠着部から成り、環部の一側で垂直上下位置にフレームホルダーを有すること、昇降用フレームは下端水平部に挟持面を有し、基体のフレームホルダーに緩挿して昇降可能なこと、レバーは、基体の上部フレームホルダー上で、基部に昇降用フレームが緩挿すると共に上下動の範囲を制約されて装置され、先端部は基体の冠着部の上面に先端が突合する操作用螺軸に螺合して上下動し、操作用螺軸の回転で先端部が上昇することで、上下動の範囲を制約された基部が上下方向に撓むように、緩挿する昇降用フレームを挟着固定すること、操作用螺軸と昇降用フレームの挟持面が対向して位置すること、を特徴とするものである。
【００１１】
請求項２に係る橋梁上の架設足場の支持腕取付け具は、請求項１に記載の発明において、基体の正面又は背面に設けたフレームホルダーは、透孔が矩形であると共に水平方向の基体側に向かって角度をつけて設けられ、フレームホルダーの透孔に摺動する昇降用フレームの横断面、及び昇降用フレームに摺動するレバーの穿孔も矩形とし、レバーの他端部と昇降用フレームの挟持面が基体の冠着部において対向して位置するようにしたことを特徴とするものである。
【００１２】
請求項３に係る橋梁上の架設足場の支持腕取付け具は、請求項１又は２に記載の発明において、昇降用フレームの上端部に取手を形成したことを特徴とするものである。
【００１３】
請求項４に係る橋梁上の架設足場の支持腕取付け具は、請求項１乃至３に記載の発明において、レバーの基部は、上部フレームホルダーと上方に延設した係止片で上下動の範囲を制約されていることを特徴とするものである。
【００１４】
請求項５に係る橋梁上の架設足場の支持腕取付け具は、請求項１乃至４に記載の発明において、操作用螺軸の先端が突合する基体の冠着部の上面に受け部材を設けたことを特徴とするものである。
【００１５】
請求項６に係る橋梁上の架設足場の支持腕取付け具は、請求項１乃至５に記載の発明において、操作用螺軸に回り止め手段を付設したことを特徴とするものである。
【発明の効果】
【００１６】
請求項１の発明は、架設足場の支柱本体に一対の本金具を、環部を支持腕に緩挿すると共に、基体の冠着部を上部面に冠着して装着し、この本金具を装着した支柱本体の支持腕を橋梁の橋桁に載置すると共に、昇降用フレームの下端水平部の挟持面を橋桁に挟み込み、昇降用フレームを手動にて引き上げて下端水平部の挟持面を橋桁の裏側に当てることが容易である。
【００１７】
そして、当該状態を維持し、基体の冠着部の上面に位置する操作用螺軸を締める方向への回転操作を行なうことによって、操作用螺軸の先端は冠着部に突合すると、今度は螺合するレバーが上昇し、昇降用フレームが緩挿する基端の上動範囲まで上昇し、更に、操作用螺軸を回転させて締めると、操作用螺軸の先端が冠着部を強圧し、上昇を制約された基部が上方向に撓むように緩挿する昇降用フレームを挟着して固定すると同時に、昇降用フレームを押し上げる作用を成し、下端水平部の挟持面が橋桁の裏側を強圧するため、橋桁の上方から作業できる効果を有する。
【００１８】
よって、本金具は基体の冠着部と昇降用フレームの下端水平部の挟持面とで重合した状態の支持腕と橋桁を強力に挟着して固定するものであるから、移動式簡易足場の支持腕を橋梁の橋桁に固定する効果を得られる。
【００１９】
また、架設足場を撤去するには、操作用螺軸を緩める方向への回転操作を行なうことによって、レバーと昇降用フレームとの固定が解除され、昇降用フレームは自重によって下降し、昇降用フレームの下端水平部の挟持面と橋桁との挟着も自然と解除され、安全で簡単容易に撤去できる効果が得られる。
【００２０】
このように、橋梁上の架設足場の支持腕取付け具は、橋桁上部からの作業による締め付けとなり、取り付け方法が簡単で、締め付け易い構造とし、安全性の高い橋梁上の架設足場の支持腕取付け具を提供できる効果を発揮するものである。
【００２１】
請求項２の発明は請求項１の効果に加え、基体の正面又は背面に設けたフレームホルダーの透孔が矩形であると共に水平方向の基体側に向かって角度をつけて設けられ、フレームホルダーの透孔に摺動する昇降用フレームの横断面、及び昇降用フレームに摺動するレバーの穿孔も矩形とし、レバーの他端部と昇降用フレームの挟持面が基体の冠着部において対向して位置するようにしたため、基体、昇降用フレーム及びレバーの各位置関係が安定して規制され、動きが正確で滑らかと成る効果を得られる。
【００２２】
請求項３の発明は請求項１又は２の効果に加え、昇降用フレームの上端部に取手を形成したため、昇降用フレームを手動にて引き上げて下端水平部の挟持面を橋桁のＨ型鋼の上部片裏側に当てる作業が容易となり、また、撤去時に昇降用フレームの自重によって下降しても当該取手が環部に引っ掛かり基体の環部から離脱する不都合や落下する危険を防止できる効果を有する。
【００２３】
請求項４の発明は請求項１乃至３の効果に加え、レバーの基部は、上部フレームホルダーと上方に延設した係止片で上下動の範囲を制約されている構成としたため、簡単で最小限の部材で目的の作用効果を得られるものである。
【００２４】
請求項５の発明は請求項１乃至４の効果に加え、操作用螺軸の先端が突合する基体の冠着部の上面に受け部材を設けたため、冠着部の突合部の保護作用を成すと共にガイド作用も期待できる効果を有する。
【００２５】
請求項６の発明は請求項１乃至５の効果に加え、操作用螺軸に回り止め手段を付設したため、足場の支持腕を橋梁の橋桁に固定した後に操作用螺軸が逆方向へ戻り固定が弛む危険を防止できる効果を発揮する。
【図面の簡単な説明】
【００２６】
【図１】本発明の橋梁上の架設足場の支持腕取付け具の一実施の形態を示す正面図である。
【図２】図１の側面図である。
【図３】図１の平面図である。
【図４】平面図Ａ−Ａ線の一部断面図である。
【図５】平面図Ｂ−Ｂ線の一部断面図である。
【図６】側面図Ｃ−Ｃ線の断面図である。
【図７】使用の状態を示す正面図である。
【図８】他の実施の形態を示す部分図である。
【図９】従来の橋梁上の架設足場の構成を示す正面図である。
【発明を実施するための形態】
【００２７】
本発明の実施の形態を図面に基づいて説明する。
図１は本発明の橋梁上の架設足場の支持腕取付け具の一実施の形態を示す正面図であり、図２は同側面図、図３は同平面図であり、橋梁上の架設足場の支持腕取付け具は、基体１、昇降用フレーム２、レバー３及び操作用螺軸４より構成されている。
【００２８】
基体１は、足場板を架設する支柱本体の支持腕５に挿入可能な環部１１と、支持腕の上面に被設する冠着部１２から成り、環部１１にフレームホルダー１３、１３を有する。
環部１１は、冠着部１２の一端に上面を共通にして直下に形成され、足場板を架設する支柱本体の支持腕５が挿通且つ摺動可能な孔と成っている。
冠着部１２は、環部１１に挿入した支持腕５の延伸方向の側面上部を把持するように折曲部１４、１４を形成し、冠着部１２が支持腕５の上面から外れないようにしてある。
また、フレームホルダー１３、１３は、基体１の正面又は背面であって、環部１１の垂直上下位置に設けられている。
【００２９】
昇降用フレーム２は、基体１のフレームホルダー１３、１３に昇降可能に緩挿し、下端水平部２１の先部に挟持面２２が形成されている。
また、昇降用フレーム２の上端部に取手２３を設け、昇降用フレーム２の手動での引き上げ作業が容易となり、撤去時に昇降用フレーム２が自重によって下降しても当該取手２３が上部フレームホルダー１３（実際に係止するのはレバー３の基部）に引っ掛かり、基体１から離脱する不都合や落下する危険を防止できる作用を奏する。
図中２４は引き上げ時の上限止部材である。
【００３０】
レバー３は、基体１の上部フレームホルダー１３上において、基部の穿孔３１が昇降用フレーム２に緩挿して装着され上下動可能となっている。
しかし、レバー３の基部は、上部フレームホルダー１３と当該フレームホルダー１３の上方に延設した係止片１５により上下動の範囲を制約されている。
一方、レバー３の先端部には雌ネジ孔３２が形成され、基体１の冠着部１２の上面に先端が突合する操作用螺軸４が螺合し、操作用螺軸４を回転することで上下動する。
【００３１】
操作用螺軸４は、レバー３の先端部の雌ネジ孔３２に螺合し、正逆回転することで上下動し、抜け止め突起を有する締付ハンドル４１が上部に緩挿してある。
操作用螺軸４の回転で先端部が上昇すると、基部も従動することになる。
【００３２】
そして、螺合するレバー３の延伸方向は規制され、操作用螺軸４が下降すると、基体１の冠着部１２の上面に設けた受け部材１６に先端が突合して係止し、更に下降方向に回転すればレバー３が逆に上昇することになる。
上下動の範囲を制約されたレバー３の基部が係止片１５によって上限に至り上昇を阻まれても、先端部は上昇しようとするため、穿孔３１が上下方向に撓むように緩挿する昇降用フレーム２を挟着して固定するものである。
【００３３】
また、基体１の正面又は背面に設けたフレームホルダー１３の透孔が矩形であると共に水平方向の基体側に向かって角度をつけて設けられ、フレームホルダー１３の透孔に摺動する昇降用フレーム２の横断面、及び昇降用フレーム２に摺動するレバー３の穿孔３１も矩形とし、レバー３の先端部（雌ネジ孔３２）と昇降用フレーム２の挟持面２２が基体１の冠着部１２において垂線上に対向して位置するように規制されて後述の把持力が増大する。
【００３４】
そこで、本発明の橋梁上の架設足場の支持腕取付け具の使用方法は、図７に示すように、先ず、架設足場の支柱本体に一対の本金具を、環部１１を支持腕５に緩挿すると共に、基体１の冠着部１２を上部面に冠着して装着する。
次に、この本金具を装着した支柱本体の支持腕５を橋梁の橋桁６に載置すると共に、昇降用フレーム２の下端水平部２１の挟持面２２を橋桁６に挟み込み、昇降用フレーム２を手動にて引き上げて下端水平部２１の挟持面２２を橋桁６のＨ型鋼の上部片裏側に当てる。
【００３５】
そして、当該状態を維持し、基体１の冠着部１２の上面に位置する操作用螺軸４を締める方向への回転操作を行なうことによって、操作用螺軸４の先端は冠着部１２に突合すると、今度は螺合するレバー３が上昇し、昇降用フレーム２が緩挿する基端は上部フレームホルダー１３に延設した係止片１５の上動範囲まで上昇する。
【００３６】
更に、操作用螺軸４を回転させて締めると、操作用螺軸４の先端が冠着部１２を強圧し、上昇を制約されたレバー３の穿孔３１が上下方向に撓むように緩挿する昇降用フレーム２を挟着して固定すると同時に、昇降用フレーム２を押し上げる作用を成し、下端水平部２１の挟持面２２が橋桁６のＨ型鋼の上部片裏側を強圧する。
【００３７】
よって、本金具は基体１の冠着部１２と昇降用フレーム２の下端水平部２１の挟持面２２とで重合した状態の支持腕５と橋桁６を強力に挟着して固定するものである。
【００３８】
また、架設足場を撤去する時には、操作用螺軸４を緩める方向への回転操作を行なうことによって、レバー３と昇降用フレーム２との固定が解除されると、昇降用フレーム２は自重によって下降するため、昇降用フレーム２の下端水平部２１の挟持面２２と橋桁６との挟着も自然と解除され、安全で簡単容易に撤去できる作用を奏する。
【００３９】
図８は他の実施の形態を示す部分図であり、操作用螺軸４に回り止め手段７を付設し、足場の支持腕５を橋梁の橋桁６に固定した後に操作用螺軸４が逆方向へ戻って固定が弛む危険を防止するものである。
回り止め手段７はレバー３を跨ぐように下端部を回動可能に冠着部１２上に軸支され、先端部に形成した筒状枠７１が傾倒して操作用螺軸４の上部を囲繞可能とし、下辺に設けた切欠部７２、７２に締付ハンドル４１を係合させて回り止め作用を行なうものである。
【００４０】
尚、操作用螺軸４の下端が突合する受部材を筒状体とし、この筒状体内で操作用螺軸４の下端が昇降するようにすれば、レバー３の先端部の位置決めとなるため、昇降用フレーム２の横断面や摺動するレバー３の穿孔３１を矩形として位置決めする必要性は乏しい。
【００４１】
また、レバー３の先端部（雌ネジ孔３２）と昇降用フレーム２の挟持面２２との関係は、垂線上に対向させることが必須の要件ではないため、手作業でも昇降用フレーム２の挟持面２２を橋桁６に係止できれば充分であり、フレームホルダー１３の透孔が矩形であると共に水平方向の基体側に向かって角度をつけて設けなくとも、丸孔と丸部材で構成しても良い。
【００４２】
さらに、本発明を図面に基づいて説明した実施の形態における具体的構成は一例であり、同様の作用効果を得られる他の構成又は手段を排除するものではない。
【符号の説明】
【００４３】
１    基体  
２    昇降用フレーム
３    レバー
４    操作用螺軸
５    支持腕
６    橋桁
７    回り止め手段
１１  環部
１２  冠着部
１３  フレームホルダー
１４  折曲部
１５  係止片
１６  受け部材
２１  下端水平部
２２  挟持面
２３  取手
２４  上限止部材
３１  穿孔
３２  雌ネジ孔
４１  締付ハンドル
７１  筒状枠
７２  切欠部
【図１】
2014098278.tif 000003
【図２】
2014098278.tif 000004
【図３】
2014098278.tif 000005
【図４】
2014098278.tif 000006
【図５】
2014098278.tif 000007
【図６】
2014098278.tif 000008
【図７】
2014098278.tif 000009
【図８】
2014098278.tif 000010
【図９】
2014098278.tif 000011